(57)【要約】      （修正有）【課題】合流式下水道の排水処理をするための排水装置において、雨水と汚水を分水する雨水吐き室（分水人孔）内の油性分や浮遊性のきょう雑物の流出を制御する排水装置用浮上式浮遊きょう雑物流出制御装置を提供する。【解決手段】合流式下水道の分水人孔における分水堰上やきょう雑物除去装置上に、水位に追随し、油性分や浮遊きょう雑物を捕捉、保持する制御板を設置する。また、排水装置用浮上式浮遊きょう雑物流出制御装置が最も流速の遅い表面水に浮上しているので、発生する水理上の損失は最も小さく、水位上昇による二次災害等への影響も極力抑えることができる。【選択図】図５Ａ
0003125175.tif 000002
【実用新案登録請求の範囲】
【請求項１】
合流式下水道の分水人孔における流入管と遮集管の間に介挿した分水堰やきょう雑物除去装置の上に、水位に追随して連動する制御板を設置することを特徴とする排水装置用浮上式浮遊きょう雑物流出制御装置。
【請求項２】
計画水位以内においては、制御板の止水板と分水堰に装着した止水ゴムにより流出を防止し、水位が上昇すると、きょう雑物を捕捉、保持した制御板が水位に連動して上昇し、水位が遮集管の管頂より下降するときょう雑物が遮集管に流下することを特徴とする請求項１記載の排水装置用浮上式浮遊きょう雑物流出制御装置。
【請求項３】
油性分や浮遊性きょう雑物を除去または制御する装置において、水理上の損失が最も小さくなる機能を有することを特徴とする請求項１記載の排水装置用浮上式浮遊きょう雑物流出制御装置。
【請求項４】
制御板を点支持するガイドが乱流の抑制やきょう雑物の捕捉、保持機能を有することを特徴とする請求項１記載の排水装置用浮上式浮遊きょう雑物流出制御装置。
【請求項５】
制御板のきょう雑物を補足、保持する断面形状は、お椀形の形状とすることを特徴とする。
【請求項６】
制御板は、きょう雑物が流速の速い放流側に引き込まれるのを抑制するために、制御盤の下面に渦流を生じさせる構造とすることを特徴とする。
【請求項７】
止水板の下部は、放流水の流水方向に折り曲げる形状を特徴とする。
【考案の詳細な説明】
【技術分野】
【０００１】本発明は排水装置用浮上式浮遊きょう雑物流出制御装置、特に、合流式下水道の排水処理をするための排水装置において、雨水と汚水を分水する雨水吐き室（分水人孔）内の油性分や浮遊性のきょう雑物の流出を制御する制御装置に関するものである。
【背景技術】
【０００２】従来、合流式下水道の分水人孔から放流されるきょう雑物は、初期降雨を除いては、直接河川や海へ放流されてきた。最近では東京都お台場海浜公園にオイルボールが漂着し大きな問題となった。国では平成１３年に雨天時越流水に関する実態調査を行うと共に、技術開発を総合的・重点的に短期間ですすめる、「スピリット２１」をスタートした。平成１４年度には参加研究者を募集し、その後、３ヵ年にわたる研究開発がなされた。開発された２４の技術テーマのうち、きょう雑物除去技術（スクリーン）は８技術である。これらのきょう雑物除去装置は、放流水に含まれるきょう雑物を漉き取り方式により除去するものである。平成１５年に流入管と遮集管の間に縦型の制御板を設置した排水装置用渦流式水面制御装置が発明された。いずれのきょう雑物除去装置も分水堰に動かないように固定され、分水人孔内の計画水位内で機能する装置である。したがって、油性分や浮遊性きょう雑物は、計画水位以上に水位が上昇すると分水堰やきょう雑物除去装置を越流し河川や海に放流される。また、きょう雑物除去装置の機能を高めることは、装置が大きくなるため、水の流れを阻害することになり、そのことによって水理上の損失が大きくなり、流入する管路や水路の上流の水位が上昇し、浸水やトイレの水が流れにくくなる等の問題が発生している。【０００３】図１Ａは従来の合流式下水道の分水人孔の透視図、図１Ｂは晴天時の状態を示し、１は流入管、２は遮集管、３は分水堰、４は放流管、５は流入する油性分や浮遊性きょう雑物である。図１Ｃ，図１Ｄは雨天時の状態を示している。従来の分水人孔の晴天時は、図１Ａおよび図１Ｂに示すように流入管１から流入した油性分や浮遊性きょう雑物を含んだ汚水の全量が遮集管２へ流出し、ポンプ場や下水処理場へ流下する。また、雨天時は図１Ｃおよび図１Ｄに示すように合流された雨水と汚水が流入し、計画された水位以上となると油性分や浮遊性きょう雑物５を含んだ下水が分水堰３を越流し、放流管４を流下し公共用水域に放流される。【０００４】図２Ａは「スピリット２１」の漉き取り方式（スクリーン）によるきょう雑物除去装置６を設置した分水人孔の透視図、図２Ｂは計画水位以上に水位が上昇した状態の断面を示している。これらのきょう雑物除去装置による捕捉可能なきょう雑物５の形状は、漉き取り方式の形状によって決まるので、およそ４〜６ｍｍ程度より小さい浮遊性きょう雑物５は、捕捉されずに放流される。また、下水中に含まれる油性分は、捕捉不可能であるためすべて放流される。【０００５】排水装置用渦流式水面制御装置は、渦流を発生させる縦型の制御板が、特に水理上の大きな損失を生じさせる欠点を有する。この欠点を解消するために、水位が分水堰以上となるとガイドウォールと分水堰の間より放流する装置であるので、形状の大きいきょう雑物は公共用水域に放流されないので美観上の改善効果は望めるが、計画水位以内でも水中の細かいきょう雑物が、公共用水域に放流される。したがって、公共用水域の汚濁の負荷量の改善効果の期待度が小さい欠点を有する。
【考案の開示】
【考案が解決しようとする課題】
【０００６】上記のように、公共用水域の水質汚濁の原因のひとつは、従来の分水人孔では雨天時に一定量以上の水量となると図１Ｃ、図１Ｄに示すように、油性分や浮遊性きょう雑物５を含んだ汚水の一部も分水堰３を越流し、放流管４を介し公共用水域へ流出するためである。また、計画水量の水位が遮集管２より高く設定されるので、図１Ｄに示すように、遮集管２が水没し、油性分や浮遊性きょう雑物５は遮集管２流入口付近の上部に滞留し、水位が計画水位以上になるとすべて油性分や浮遊きょう雑物５が分水堰３やきょう雑物除去装置６を越流し放流される。【０００７】分水人孔に流入する計画内の下水量は、遮集管２に流出するように制御し、計画以上の下水量の流入に対しては、油性分や浮遊性きょう雑物５が放流水とともに公共用水域に流出しないよう捕捉、保持し、油性分や浮遊きょう雑物５をポンプ場や下水処理場へ流下させるのが課題である。また、捕捉する装置の機能レベルと水理上の損失（水位の上昇による二次災害を引き起こす要因となる）による影響が相反するため、出来る限り損失を抑えられる構造の装置としなければならない難点があった。本発明は、これらの課題を解消するためになされたものである。【０００８】このような課題を解決するための手段としては、油性分や浮遊性きょう雑物５が分水堰３やきょう雑物除去装置６を越流しないように、従来の分水人孔の改良やきょう雑物除去装置６を補完する必要がある。
【課題を解決するための手段】
【０００９】本発明の排水装置用浮上式浮遊きょう雑物流出制御装置は、合流式下水道の分水人孔における流入管１と遮集管２の間に固定したガイド７に沿って、水位に追随して連動する制御板８を有することを特徴とする。【００１０】本発明の排水装置用浮上式浮遊きょう雑物流出制御装置は、計画水量以下の水位では全流入量を遮集管２に流下するため、きょう雑物５の形状に関わらず流出防止ができる。計画水量以上の水位に対しては、捕捉された油性分や浮遊性きょう雑物５を保持する。【００１１】保持された油性分や浮遊きょう雑物５は、最高水位まで上昇した後、下降し、遮集管２の管頂部以下となると遮集管２へ流下するので公共用水域に放流しない。
【考案の効果】
【００１２】上記のように本発明の排水装置用浮上式浮遊きょう雑物流出制御装置によれば、油性分や浮遊性きょう雑物５が制御板８により制御され、油性分や浮遊性きょう雑物５の公共用水域への流出削減を行うことができるようになる大きな利益がある。また、排水装置用浮上式浮遊きょう雑物流出制御装置による水理上の損失は、制御板８が流速の遅い表面水に浮上しているので最も小さく、水位上昇による二次災害等への影響も抑えることができる。
【実施例１】
【００１３】分水堰３上の排水装置用浮上式浮遊きょう雑物流出制御装置は、ガイド７、制御板８、止水ゴム１５より構成されている。制御板８を点支持するガイド７は、上流部においては流入による乱流が、流入管１の上層を流下してきた油性分や浮遊性きょう雑物５を攪拌するのを抑制し、下流部では水流の澱み部を作ることになるので、捕捉された油性分や浮遊性きょう雑物５を確実に保持する。制御板８は、斜板１０、安定板１１、縦板１２、継ぎ材１３、止水板１４より構成されており、重量と外形体積比が水の比重１より軽いものである。また、縦板１２の高さは、計画水位と既存の分水堰３頂面やきょう雑物除去装置６の天端との差を最少とするが、浮遊性きょう雑物５の形状や物理的性質が、地域特性に左右されるため、設置場所ごとに調節し、同時に発生する水理上の損失量も勘案し決められる。縦板１２に取付けられた斜版１０は、渦流１６を発生させることにより、縦板１２下端の流速を減速するもので、この境界付近のきょう雑物５が放流側に引き込まれるのを出来る限り防ぐもので、エアー抜きの穴９を有する。制御板８の油性分や浮遊性きょう雑物５を保持する機能を高めるため、斜板１０、安定板１１、縦板１２によるお椀形の形状とする。板止水板１４は、制御板８が流水により振動するので、その振幅を小さくするためのものであるとともに、計画水位以内は放流防止をするためのもので、高さを計画水位と止水ゴム１５の差より少なくとも長くする。また、止水板１４の下部は、放流水の流速が遅い場合、流速による揚圧力の増加のために放流水の流水方向に折り曲げる。制御板８は、計画水位において制御板８に作用する自重や浮力、水圧による回転モーメントの和が０となる重量および形状とする。【００１４】きょう雑物除去装置上の排水装置用浮上式浮遊きょう雑物流出制御装置は、ガイド７、制御板８より構成されている。縦板１２や止水板１４の高さは、浮遊性きょう雑物の５形状や物理的性質が、地域特性に左右されるため、設置場所ごとに調節し、同時に発生する水理上の損失量も勘案し決められる。制御板８は、計画水位において制御板８に作用する自重や浮力、水圧による回転モーメントの和が０となる重量および形状とする。
【実施例２】
【００１５】応用例を図４Ａ、図４Ｂ、図４Ｄ，図４Ｅおよび図５Ａ、図５Ｂに示す。
【図面の簡単な説明】
【００１６】
【図１Ａ】既存の分水人孔を示した透視図である
【図１Ｂ】既存の分水人孔の晴天時の状態を示した横断面図である
【図１Ｃ】既存の分水人孔の雨天時の状態を示した横断面図である
【図１Ｄ】既存の分水人孔の雨天時の状態を示した縦断面図である
【図２Ａ】きょう雑物除去装置装着した既存の分水人孔透視図である
【図２Ｂ】きょう雑物除去装置装着した既存の分水人孔の雨天日の越流状態を示した横断面図である
【図３Ａ】排水装置用浮上式浮遊きょう雑物流出制御板の平面図である
【図３Ｂ】排水装置用浮上式浮遊きょう雑物流出制御板の分水堰上への設置を示す断面図である
【図３Ｃ】排水装置用浮上式浮遊きょう雑物流出制御板のきょう雑物除去装置上への設置を示す断面図である
【図４Ａ】排水装置用浮上式浮遊きょう雑物流出制御装置を装着した分水人孔透視図である
【図４Ｂ】排水装置用浮上式浮遊きょう雑物流出制御装置を装着した分水人孔平面図である
【図４Ｃ】排水装置用浮上式浮遊きょう雑物流出制御装置を分水堰上に装着した分水人孔の晴天時の状態を示した横断面図である
【図４Ｄ】排水装置用浮上式浮遊きょう雑物流出制御装置を分水堰上に装着した分水人孔の雨天時の計画水位以内の状態を示した横断面図である
【図４Ｅ】排水装置用浮上式浮遊きょう雑物流出制御装置を分水堰上に装着した分水人孔の計画水位以上の状態を示した横断面図である
【図５Ａ】排水装置用浮上式浮遊きょう雑物流出制御装置をきょう雑物除去装置上に装着した分水人孔の雨天時の計画水位以内の状態を示した横断面図である
【図５Ｂ】排水装置用浮上式浮遊きょう雑物流出制御装置をきょう雑物除去装置上に装着した分水人孔の計画水位以上の状態を示した横断面図である
【符号の説明】
【００１７】  １流入管
２遮集管
３分水堰
４放流管
５油性分や浮遊性きょう雑物
６きょう雑物除去装置
７ガイド
８制御板
９空気抜き穴
１０斜板
１１安定板
１２縦板
１３継ぎ材
１４止水板
１５止水ゴム
１６渦流
【図１Ａ】
0003125175.tif 000003
【図−１Ｂ】
0003125175.tif 000004
【図−１Ｃ】
0003125175.tif 000005
【図−１Ｄ】
0003125175.tif 000006
【図−２Ａ】
0003125175.tif 000007
【図２Ｂ】
0003125175.tif 000008
【図３Ａ】
0003125175.tif 000009
【図３Ｂ】
0003125175.tif 000010
【図３Ｃ】
0003125175.tif 000011
【図４Ａ】
0003125175.tif 000012
【図４Ｂ】
0003125175.tif 000013
【図４Ｃ】
0003125175.tif 000014
【図４Ｄ】
0003125175.tif 000015
【図４Ｅ】
0003125175.tif 000016
【図５Ａ】
0003125175.tif 000017
【図５Ｂ】
0003125175.tif 000018
【手続補正書】
【提出日】平成18年4月28日(2006.4.28)
【手続補正１】
【補正対象書類名】実用新案登録請求の範囲
【補正対象項目名】全文
【補正方法】変更
【補正の内容】
【実用新案登録請求の範囲】
【請求項１】
合流式下水道の分水人孔における流入管と遮集管の間に介挿した分水堰の上に、水位に追随して連動する制御板を設置することを特徴とする排水装置用浮上式浮遊きょう雑物流出制御装置。
【請求項２】
合流式下水道の分水人孔における流入管と遮集管の間に介挿した分水堰ときょう雑物除去装置の上に、水位に追随して連動する制御板を設置することを特徴とする排水装置用浮上式浮遊きょう雑物流出制御装置。
【請求項３】
上記分水堰には止水ゴムが装着されており、上記制御板には止水板が設けられており、計画水位以内においては、制御板の止水板と分水堰に装着した止水ゴムにより制御板が捕捉、保持したきょう雑物の流出を防止し、水位が上昇すると、きょう雑物を捕捉、保持した制御板が水位に連動して上昇し、水位が遮集管の管頂より下降するときょう雑物が遮集管に流下することを特徴とする請求項１または２記載の排水装置用浮上式浮遊きょう雑物流出制御装置。
【請求項４】
上記制御板を点支持するガイドを有し、このガイドが乱流の抑制やきょう雑物の捕捉、保持機能を有することを特徴とする請求項１、２または３記載の排水装置用浮上式浮遊きょう雑物流出制御装置。
【請求項５】
上記制御板が斜板と、安定板と、縦板とを有し、その断面形状がお椀形をなすことを特徴とする請求項１、２、３または４記載の排水装置用浮上式浮遊きょう雑物流出制御装置。
【請求項６】
上記制御板が、きょう雑物が放流側に引き込まれるのを抑制するために、上記斜板と縦板間に渦流を生じさせることを特徴とする請求項５記載の排水装置用浮上式浮遊きょう雑物流出制御装置。
【請求項７】
上記止水板の下部が、放流水の流水方向に折り曲げられていることを特徴とする請求項５または６記載の排水装置用浮上式浮遊きょう雑物流出制御装置。
【請求項８】
上記制御板が、流水圧に耐えられる強度を有し、その比重が水の比重１より軽いものであることを特徴とする請求項１、２、３、４、５、６または７記載の排水装置用浮上式浮遊きょう雑物流出制御装置。
【手続補正２】
【補正対象書類名】明細書
【補正対象項目名】全文
【補正方法】変更
【補正の内容】
【考案の詳細な説明】
【技術分野】
【０００１】
本考案は排水装置用浮上式浮遊きょう雑物流出制御装置、特に、合流式下水道の排水処理をするための排水装置において、雨水と汚水を分水する雨水吐き室（分水人孔）内の油性分や浮遊性のきょう雑物の流出を制御する制御装置に関するものである。
【背景技術】
【０００２】
従来、合流式下水道の分水人孔から放流されるきょう雑物は、初期降雨を除いては、直接河川や海へ放流されてきた。最近では東京都お台場海浜公園にオイルボールが漂着し大きな問題となった。国では平成１３年に雨天時越流水に関する実態調査を行うと共に、技術開発を総合的・重点的に短期間ですすめる、「スピリット２１」をスタートした。平成１４年度には参加研究者を募集し、その後、３ヵ年にわたる研究開発がなされた。開発された２４の技術テーマのうち、きょう雑物除去技術（スクリーン）は８技術である。これらのきょう雑物除去装置は、放流水に含まれるきょう雑物を漉き取り方式により除去するものである。平成１５年に流入管と遮集管の間に縦型の制御板を設置した排水装置用渦流式水面制御装置が考案された。いずれのきょう雑物除去装置も分水堰に動かないように固定され、分水人孔内の計画水位内で機能する装置である。したがって、油性分や浮遊性きょう雑物は、計画水位以上に水位が上昇すると分水堰やきょう雑物除去装置を越流し河川や海に放流される。また、きょう雑物除去装置の機能を高めることは、装置が大きくなるため、水の流れを阻害することになり、そのことによって水理上損失が大きくなり、流入する管路や水路の上流の水位が上昇し、浸水やトイレの水が流れにくくなる等の問題が発生している。
【０００３】
図１Ａは従来の合流式下水道の分水人孔の透視図、図１Ｂは晴天時の状態を示し、１は流入管、２は遮集管、３は分水堰、４は放流管、５は流入する油性分や浮遊性きょう雑物である。図１Ｃ，図１Ｄは雨天時の状態を示している。従来の分水人孔の晴天時は、図１Ａおよび図１Ｂに示すように流入管１から流入した油性分や浮遊性きょう雑物を含んだ汚水の全量が遮集管２へ流出し、ポンプ場や下水処理場へ流下する。また、雨天時は図１Ｃおよび図１Ｄに示すように合流された雨水と汚水が流入し、計画された水位以上となると油性分や浮遊性きょう雑物５を含んだ下水が分水堰３を越流し、放流管４を流下し公共用水域に放流される。
【０００４】
図２Ａは「スピリット２１」の漉き取り方式（スクリーン）によるきょう雑物除去装置６を設置した分水人孔の透視図、図２Ｂは計画水位以上に水位が上昇した状態の断面を示している。これらのきょう雑物除去装置による捕捉可能なきょう雑物５の形状は、漉き取り方式の形状によって決まるので、およそ４〜６ｍｍ程度より小さい浮遊性きょう雑物５は、捕捉されずに放流される。また、下水中に含まれる油性分は、捕捉不可能であるためすべて放流される。
【０００５】
排水装置用渦流式水面制御装置は、渦流を発生させる縦型の制御板が、特に水理上の大きな損失を生じさせる欠点を有する。この欠点を解消するために、水位が分水堰以上となるとガイドウォールと分水堰の間より放流する装置であるので、形状の大きいきょう雑物は公共用水域に放流されないので美観上の改善効果は望めるが、計画水位以内でも水中の細かいきょう雑物が、公共用水域に放流される。したがって、公共用水域の汚濁の負荷量の改善効果の期待度が小さい欠点を有する。
【考案の開示】
【考案が解決しようとする課題】
【０００６】
上記のように、公共用水域の水質汚濁の原因のひとつは、従来の分水人孔では雨天時に一定量以上の水量となると図１Ｃ、図１Ｄに示すように、油性分や浮遊性きょう雑物５を含んだ汚水の一部も分水堰３を越流し、放流管４を介し公共用水域へ流出するためである。また、計画水量の水位が遮集管２より高く設定されるので、図１Ｄに示すように、遮集管２が水没し、油性分や浮遊性きょう雑物５は遮集管２流入口付近の上部に滞留し、水位が計画水位以上になると油性分や浮遊性きょう雑物５が分水堰３やきょう雑物除去装置６を越流し放流される。
【０００７】
分水人孔に流入する計画内の下水量は、遮集管２に流出するように制御し、計画以上の下水量の流入に対しては、油性分や浮遊性きょう雑物５が放流水とともに公共用水域に流出しないよう捕捉、保持し、油性分や浮遊性きょう雑物５をポンプ場や下水処理場へ流下させるのが課題である。また、捕捉する装置の機能レベルと水理上の損失（水位の上昇による二次災害を引き起こす要因となる）による影響が相反するため、出来る限り損失を抑えられる構造の装置としなければならない難点があった。本考案は、これらの課題を解消するためになされたものである。
【０００８】
このような課題を解決するための手段としては、油性分や浮遊性きょう雑物５が分水堰３やきょう雑物除去装置６を越流しないように、従来の分水人孔の改良やきょう雑物除去装置６を補完する必要がある。
【課題を解決するための手段】
【０００９】
本考案の排水装置用浮上式浮遊きょう雑物流出制御装置は、合流式下水道の分水人孔における流入管１と遮集管２の間に固定したガイド７に沿って、水位に追随して連動する制御板８を有することを特徴とする。
【００１０】
本考案の排水装置用浮上式浮遊きょう雑物流出制御装置は、計画水量以下の水位では全流入量を遮集管２に流下するため、きょう雑物５の形状に関わらず流出防止ができる。計画水量以上の水位に対しては、捕捉された油性分や浮遊性きょう雑物５を保持する。
【００１１】
保持された油性分や浮遊性きょう雑物５は、最高水位まで上昇した後、下降し、遮集管２の管頂部以下となると遮集管２へ流下するので公共用水域に放流しない。
【考案の効果】
【００１２】
上記のように本考案の排水装置用浮上式浮遊きょう雑物流出制御装置によれば、油性分や浮遊性きょう雑物５が制御板８により制御され、油性分や浮遊性きょう雑物５の公共用水域への流出削減を行うことができるようになる大きな利益がある。また、排水装置用浮上式浮遊きょう雑物流出制御装置による水理上の損失は、制御板８が流速の遅い表面水に浮上しているので最も小さく、水位上昇による二次災害等への影響も抑えることができる。
【考案を実施するための最良の形態】
【００１３】
以下図面によって本考案の実施例を説明する。
【実施例１】
【００１４】
本考案においては、図３Ａ〜図３Ｃ、図４Ａ〜図４Ｅ、図５Ａ及び図５Ｂに示すように分水堰３上に排水装置用浮上式浮遊きょう物流出制御装置を設ける。この装置は、ガイド７、制御板８、止水ゴム１５より構成されている。制御板８をその上流部と下流部で点支持するガイド７は、上流部において生ずる乱流が流入管１の上層を流下してきた油性分や浮遊性きょう雑物５を撹拌するのを抑制し、下流部では水流の澱み部を作ることになるので、制御板８は油性分や浮遊性きょう雑物５を確実に保持する。制御板８は、斜板１０、安定板１１、縦板１２、継ぎ材１３、止水板１４により構成されており、全体の比重が水の比重１より軽いものとする。また、縦板１２の高さは、計画水位と既存の分水堰３の頂面間の距離より大きくするが、浮遊性きょう雑物５の形状や物理的性質が、地域特性に左右されるため、設置場所ごとに調節し、同時に発生する水理上の損失量も勘案し決められる。縦板１２に取付けられた斜板１０は、その下側に渦流１６を発生させることにより、縦板１２下端の流速を減速するもので、この境界付近のきょう雑物５が放流側に引き込まれるのを出来る限り防ぐもので、エアー抜きの穴９を有する。制御板８による油性分や浮遊性きょう雑物５を保持する機能を高めるため、斜板１０、安定板１１、縦板１２によるお椀形の形状とする。制御板８は流水により振動するので、止水板１４は、その振幅を小さくするためのものであるとともに、計画水位以内は放流を防止するためのもので、高さを計画水位と止水ゴム１５の間の距離より少なくとも長くする。また、止水板１４の下部は、放流水の流速が遅い場合、流速による揚圧力の増加のために放流水の流水方向に折り曲げる。制御板８は、計画水位において制御板８に作用する自重や浮力、水圧による回転モーメントの和が０となる重量および形状とする。
【００１５】
きょう雑物除去装置上の排水装置用浮上式浮遊きょう雑物流出制御装置は、ガイド７、制御板８より構成されている。縦板１２や止水板１４の高さは、浮遊性きょう雑物５の形状や物理的性質が、地域特性に左右されるため、設置場所ごとに調節し、同時に発生する水理上の損失量も勘案し決められる。制御板８は、計画水位において制御板８に作用する自重や浮力、水圧による回転モーメントの和が０となる重量および形状とする。
【００１６】
本考案装置を設けた分水人孔の例を図４Ａ、図４Ｂ、図４Ｄ、図４Ｅ及び図５Ａ、図５Ｂに示す。
【図面の簡単な説明】
【００１７】
【図１Ａ】既存の分水人孔を示した透視図である。
【図１Ｂ】既存の分水人孔の晴天時の状態を示した横断面図である。
【図１Ｃ】既存の分水人孔の雨天時の状態を示した横断面図である。
【図１Ｄ】既存の分水人孔の雨天時の状態を示した横断面図である。
【図２Ａ】きょう雑物除去装置装着した既存の分水人孔の透視図である。
【図２Ｂ】きょう雑物除去装置装着した既存の分水人孔の雨天日の越流状態を示した横断面図である。
【図３Ａ】本考案の排水装置用浮上式浮遊きょう雑物流出制御板の平面図である。
【図３Ｂ】図３Ａの排水装置用浮上式浮遊きょう雑物流出制御板の分水堰上への設置を示す右側面図である。
【図３Ｃ】図３Ａの排水装置用浮上式浮遊きょう雑物流出制御板のきょう雑物除去装置上への設置を示す右側面図である。
【図４Ａ】本考案の排水装置用浮上式浮遊きょう雑物流出制御装置を装着した分水人孔の斜視図である。
【図４Ｂ】本考案の排水装置用浮上式浮遊きょう雑物流出制御装置を装着した分水人孔の平面図である。
【図４Ｃ】図４Ｂの排水装置用浮上式浮遊きょう雑物流出制御装置を分水堰上に装着した分水人孔の晴天時の状態を示した正面図である。
【図４Ｄ】図４Ｂの排水装置用浮上式浮遊きょう雑物流出制御装置を分水堰上に装着した分水人孔の雨天時の計画水位以内の状態を示した正面図である。
【図４Ｅ】図４Ｂの排水装置用浮上式浮遊きょう雑物流出制御装置を分水堰上に装着した分水人孔の計画水位以上の状態を示した正面図である。
【図５Ａ】本考案の排水装置用浮上式浮遊きょう雑物流出制御装置をきょう雑物除去装置上に装着した分水人孔の雨天時の計画水位以内の状態を示した正面図である。
【図５Ｂ】本考案の排水装置用浮上式浮遊きょう雑物流出制御装置をきょう雑物除去装置上に装着した分水人孔の計画水位以上の状態を示した正面図である。
【符号の説明】
【００１８】
１流入管
２遮集管
３分水堰
４放流管
５油性分や浮遊性きょう雑物
６きょう雑物除去装置
７ガイド
８制御板
９空気抜き穴
１０斜板
１１安定板
１２縦板
１３継ぎ材
１４止水板
１５止水ゴム
１６渦流